(57)【要約】 【課題】  水や白湯を飲んでも、アロマの香りによる効果が得られ、しかも手指や顔面にアロマオイルが付着しにくいようにした飲料容器置を提供する。【解決手段】  この飲料容器は、飲料容器本体１０と、飲料容器本体１０の口を塞ぐ蓋材１とで構成される。蓋材１には、飲み口２と、飲み口１の上方に設けられたアロマ収納容器５を装着するための溝３を備えている。アロマ収納容器５は、アロマ収納容器本体５ａとその口を封する蓋５ｂとで構成され、アロマ収納容器本体５ａ中には、アロマオイルが含浸された多孔質体が収納されている。溝３の上下方向の内壁には、パッキング６が設けられている。パッキング６により、アロル収納容器５が所定の位置に固定される。溝３の深さ方向が、溝３の底面から上面に向けて飲み口方向に傾斜しているのが好ましい。アロル収納容器５の向きが人の鼻の方向になり、アロマオイルの香りを嗅ぎやすくなる。【選択図】  図３
2020132189.tif 000002
【特許請求の範囲】
【請求項１】
飲料容器本体と、該飲料容器本体の口を塞ぐ蓋材とで構成され、
前記蓋材には、飲み口と、該飲み口の上方に設けられたアロマ収納容器を装着するための溝を備えており、
前記アロマ収納容器は、アロマ収納容器本体とその口を封する蓋とで構成され、該アロマ収納容器本体中には、アロマオイルが含浸された多孔質体が収納されていることを特徴とする飲料容器。
【請求項２】
溝に、二個のアロマ収納容器が左右に装着される請求項１記載の飲料容器。
【請求項３】
溝が左右に二分割されている請求項１記載の飲料容器。
【請求項４】
アロマオイルが含浸された多孔質体は、アロマ収納容器本体中に固定されている請求項１記載の飲料容器。
【請求項５】
溝の内壁に、アロマ収納容器を固定するためのパッキングが設けられている請求項１記載の飲料容器。
【請求項６】
溝の深さ方向が、該溝の底面から上面に向けて飲み口方向に傾斜している請求項１記載の飲料容器。
【請求項７】
アロマ収納容器は、アロマオイルが含浸された多孔質体が収納されているアロマ収納小容器と、該小容器を収納するアロマ収納大容器とで構成されている請求項１記載の飲料容器。
【請求項８】
飲料容器本体が水筒又はタンブラーである請求項１記載の飲料容器。
【請求項９】
請求項１記載の飲料容器に用いるアロマ収納容器。
【請求項１０】
請求項７記載の飲料容器に用いるアロマ収納容器であって、アロマ収納小容器はアロマ収納小容器本体とその口を封する小蓋とで構成され、アロマ収納大容器はアロマ収納大容器本体とその口を封する大蓋とで構成され、アロマ収納大容器の底面に該大蓋を冠着しうるように構成されているアロマ収納容器。
【発明の詳細な説明】
【技術分野】
【０００１】
本発明は、ストレス緩和やリフレッシュ効果等の種々の効用を実現しうる飲料容器に関するものである。
【背景技術】
【０００２】
従来より、ストレス緩和のためにコーヒーやハーブティーを飲むことが行われている。また、リフレッシュ効果を得るためにペパーミントティーやグレープフルーツジュースを飲むことが行われている。しかしながら、胃の具合が悪いときに、コーヒー等の飲料は飲みにくいということがあった。
【０００３】
このため、飲料容器に水又は白湯を収納しておき、飲料容器の飲み口付近にストレス緩和やリフレッシュ効果等を有するアロマオイルを付着させておくことが考えられる。この場合、アロマオイルの香りと共に水又は白湯を飲むことにより、ストレス緩和やリフレッシュ効果等を得られ、しかも胃にやさしいという利点がある。特許文献１には、このような観点から、飲料容器の飲み口付近にアロマオイルを含浸させた香料プレートを付着させることが提案されている。
【０００４】
しかしながら、特許文献１記載のように、飲料容器の飲み口付近に香料プレートを付着させたものは、飲料を飲むときに、手指や顔面にアロマオイルが付着する恐れがあった。アロマオイルが手指や顔面に付着すると、水や洗浄水で洗っても取り除きにくく、長期に亙ってアロマオイルの香りに煩わされるということがあった。
【０００５】
【特許文献１】実開平４−１１５１１９号公報
【発明の概要】
【発明が解決しようとする課題】
【０００６】
本発明の課題は、飲料容器の蓋材の構造とアロマオイルの収納形態を工夫することにより、手指や顔面にアロマオイルが付着しにくいようにした飲料容器を提供することにある。
【課題を解決するための手段】
【０００７】
すなわち、本発明は、飲料容器本体と、該飲料容器本体の口を塞ぐ蓋材とで構成され、前記蓋材には、飲み口と、該飲み口の上方に設けられたアロマ収納容器を装着するための溝を備えており、前記アロマ収納容器は、アロマ収納容器本体とその口を封する蓋とで構成され、該アロマ収納容器本体中には、アロマオイルが含浸された多孔質体が収納されていることを特徴とする飲料容器に関するものである。
【発明の効果】
【０００８】
本発明に係る飲料容器は、蓋材の飲み口上方に設けられた溝中にアロマ収納容器が装着され、アロマ収納容器中にアロマオイルを含浸した多孔質体を収納しており、顔面はもちろん、手指にもアロマオイルが付着しにくくなっている。したがって、飲料を飲むときのみアロマオイルの香りにより、ストレス緩和やリフレッシュ効果等の種々の効用を得ることができる。飲料を飲まないときには、アロマ収納容器本体を蓋で封することにより、アロマオイルの香りに煩わされることがないという効果を奏する。
【図面の簡単な説明】
【０００９】
【図１】本発明の一例に係る飲料容器に用いる蓋材の平面図である。
【図２】図１に示した蓋材の内壁にパッキングを設けたときの平面図である。
【図３】図１に示した蓋材の溝に二個のアロマ収納容器が左右に装着されたときの平面図である。
【図４】図１に示した蓋材のＡ−Ａ縦断面図である。
【図５】図１に示した蓋材のＢ−Ｂ縦断面図である。
【図６】アロマ収納大容器の側面図である。
【図７】アロマ収納小容器の側面図である。
【図８】本発明の一例に係る飲料容器の斜視写真である。
【発明を実施するための形態】
【００１０】
本発明に係る飲料容器は、飲料容器本体１０と、飲料容器本体１０の口を塞ぐ蓋材１とで構成されている。蓋材１には、飲み口２と、飲み口２の上方に設けられたアロマ収納容器５を装着するための溝３を備えている。図１に示すように、飲み口２の反対側には、飲料を飲みやすくするための空気孔４が設けられているのが好ましい。なお、図１〜３において、紙面の右側が上方であり、紙面の上下が左右となっている。
【００１１】
溝３の内壁には、接着剤等で接着することによって、パッキング６が設けられているのが好ましい。パッキング６を設けることにより、アロマ収納容器５が溝３内に固定されるからである。パッキング６は、図２及び図３に示すように、溝３の内壁の上下に設けてもよいが、溝３の内壁の上又は下の一方に設けてもよい。パッキング６としては、ゴムや発泡体等の弾性材や、表面が鋸刃状になった弾性体又は非弾性体を用いてもよい。
【００１２】
溝３に装着されるアロマ収納容器５は、アロマ収納容器本体５ａと、容器本体５ａの口を封する蓋５ｂとで構成されている。封する手段としては、螺着又は嵌着等の従来公知の冠着手段を用いうる。図３は、溝３中に、人の鼻に合致するように、二個のアロマ収納容器５を左右に装着した図である。図１〜３に示した蓋材１の溝３は、分割されておらず一つの溝となっているが、この溝３を左右に二分割して二つの溝としてもよい。そして、左右の二つの溝に、各々のアロマ収容容器５を装着してもよい。なお、図３では二個のアロマ収納容器５を装着した例を示したが、一個のアロマ収納容器５を装着してもよい。
【００１３】
蓋材１に備えられている溝３は、図５に示すように、溝３の深さ方向が、溝３の底面から上面に向けて飲み口２方向に傾斜しているのが好ましい。かかる傾斜により、飲料を飲む際に、アロマ収納容器５が人の鼻の方向に向いて鼻に近づき、アロマオイルの香りを嗅ぎやすくなる。なお、図４及び図５の濃墨部は断面を表している。
【００１４】
アロマ収納容器本体５ａ中には、アロマオイルが含浸された多孔質体が収納されている。アロマオイルとしては、従来公知のものが用いられる。たとえば、グレープフルーツ、ペパーミント、ローズマリー、ラベンダー、ジャスミン又はシナモン等が用いられる。アロマオイルを含浸するための多孔質体としては、連続気泡を持つ合成樹脂製多孔質体又は繊維を集積してなる繊維製多孔質体等が用いられる。多孔質体は、アロマ収納容器本体５ａに固定されているのが好ましい。固定されていないと、飲料を飲むときに多孔質体が人の鼻に接触する恐れがある。固定手段としては、接着剤又は両面粘着テープ等で固定してもよいが、アロマ収納容器本体５ａの内径よりも大きな多孔質体を圧縮して収納し、多孔質体自身の弾性によって固定してもよい。
【００１５】
アロマ収納容器５は、アロマオイルが含浸された多孔質体が収納されているアロマ収納小容器７と、小容器７を収納するアロマ収納大容器８とで、二重に構成されていてもよい。アロマ収納容器５を二重にすることで、取り扱い時に人の手指や肌等にアロマオイルが付着する恐れを少なくしたものである。アロマ収納小容器７はアロマ収納小容器本体７ａと本体７ａの口を封する小蓋７ｂとで構成され、アロマ収納大容器８はアロマ収納大容器本体８ａと本体８ａの口を封する大蓋８ｂとで構成されている。なお、各容器を封する手段は、螺着又は嵌着等の従来公知の冠着手段が採用される。
【００１６】
アロマ収納大容器本体８ａは、その底面に大蓋８ｂを冠着しうるようにしておくのが好ましい。具体的には、アロマ収納大容器本体８ａの底面側側面にネジを切って、大蓋８ｂを螺着できるようにしておくと共に、底面に小蓋７ｂが収納しうる凹部を設けておくのが好ましい。このように構成しておくと、アロマ収納小容器７から取り外した小蓋７ｂを、凹部に収納して大蓋８ｂをアロマ収納大容器本体８ａの底面に螺着等の手段で冠着することが可能となる。したがって、二重に構成したアロマ収納容器５であっても、使用時において、各部材は全て蓋材中に存在するから、各部材を失いにくいという効果を奏する。
【００１７】
本発明で用いる蓋材は、任意の飲料容器本体１０に適用することができる。たとえば、飲料容器本体１０として水筒を採用すれば、水筒の口を本発明で用いる蓋材１で塞いだ状態で持ち運びが可能となり、任意の場所で任意のアロマオイルの香りにより、ストレス緩和やリフレッシュ効果等が得られる。また、飲料容器本体１０としてタンブラーを採用すれば、仕事場や家庭等で任意のアロマオイルの香りにより、ストレス緩和やリフレッシュ効果等が得られる。
【符号の説明】
【００１８】
１    蓋材
２    飲み口
３    溝
４    空気孔
５    アロマ収納容器
６    パッキング
７    アロマ収納小容器
７ａ  アロマ収納小容器本体
８    アロマ収納大容器
８ａ  アロマ収納大容器本体
１０  飲料容器本体
【図１】
2020132189.tif 000003
【図２】
2020132189.tif 000004
【図３】
2020132189.tif 000005
【図４】
2020132189.tif 000006
【図５】
2020132189.tif 000007
【図６】
2020132189.tif 000008
【図７】
2020132189.tif 000009
【図８】
2020132189.tif 000010
【手続補正書】
【提出日】令和1年7月18日(2019.7.18)
【手続補正１】
【補正対象書類名】特許請求の範囲
【補正対象項目名】請求項１
【補正方法】変更
【補正の内容】
【請求項１】
飲料容器本体と、該飲料容器本体の口を塞ぐ蓋材とで構成され、
前記蓋材には、飲み口と、該飲み口の上方に設けられたアロマ収納容器を装着するための溝を備えており、
前記飲み口に人が口を付けて飲むときに、前記溝は該人の鼻に対向する位置に存在し、
前記アロマ収納容器は、アロマ収納容器本体とその口を封する蓋とで構成され、該アロマ収納容器本体中には、アロマオイルが含浸された多孔質体が収納されていることを特徴とする飲料容器。
【手続補正２】
【補正対象書類名】明細書
【補正対象項目名】０００７
【補正方法】変更
【補正の内容】
【０００７】
すなわち、本発明は、飲料容器本体と、該飲料容器本体の口を塞ぐ蓋材とで構成され、前記蓋材には、飲み口と、該飲み口の上方に設けられたアロマ収納容器を装着するための溝を備えており、 前記飲み口に人が口を付けて飲むときに、前記溝は該人の鼻に対向する位置に存在し、前記アロマ収納容器は、アロマ収納容器本体とその口を封する蓋とで構成され、該アロマ収納容器本体中には、アロマオイルが含浸された多孔質体が収納されていることを特徴とする飲料容器に関するものである。